(57)【特許請求の範囲】
【請求項１】
総体的に方形の板状形体を有する足場板と、足場板を布パイプに係脱自在に係合させるための１対のフック金具と、足場板が水平方向に位置するように建地パイプに係脱自在に係合して足場板を支持するブラケットとから構成され、
前記足場板は、相互に対向する１対の腕木材と相互に対向する１対の枠材とにより形成された方形の外枠と、１対の枠材間を結合する中桟と、外枠の上部に展張される金網またはエキスパンドメタルなどの板状部材により形成される踏み板とから構成され、前記フック金具の各々は、足場板の各腕木材の対応する一端にそれぞれ固着される基部と、布パイプと着脱自在に係合するように基部から外方へ延びるフック部とから構成され、前記ブラケットは、フック金具の取付位置に対向する側の足場板の腕木材の各端部またはその近傍から、フック金具間に位置する建地パイプに向かって斜め下方へそれぞれ延びる１対の斜材パイプと、建地パイプに係脱自在に係合するように斜材パイプの伸延端部に設けられるパイプ受け座とから構成され、
前記ブラケットの斜材パイプの自由端部には、足場板の腕木材の対応する端部に設けられた係合穴にそれぞれ着脱自在および回動自在に係合するためのＬ字状の係合ロッドが設けられ、該係合ロッドはブラケットを一方向に移動させることにより同時に係合穴に挿入できるようにその自由端部が同一方向に指向され、ブラケットの２つの斜材パイプは連結桿によってその中間部位を相互に連結され、連結桿の中間部位には支持桿の一端が枢動自在に設けられ、支持桿の自由端には足場板と連結するための接続金具が設けられ、斜材パイプは、ブラケット全体の剛性を高めるため、足場板に連結される側の端部間を結合する補強材を備える、仮設足場等盛替え用簡易ステップ。
【請求項２】
前記足場板は中桟と十字状に交差するように設けられた補強中桟を有し、足場板のフック金具を取付けられた側の枠材には、建地パイプまたは建地パイプと布パイプを連結したパイプクランプを挟持するための１対の滑り止め金具がフック金具と平行に延びるように設けられ、滑り止め金具を備えた枠材に対向する側の枠材には、足場板またはブラケットを取り付けられた足場板を運搬する際に用いられるコの字状の取っ手が設けられる、請求項１に記載の仮設足場等盛替え用簡易ステップ。
【請求項３】
前記フック金具のフック部は、布パイプの上方から係合するように下方に向かって開口された空間を有するＣ字状の形体に形成され、フック金具のフック部には、その中に布パイプを受容するときに開口寸法を大きくする一方、受容した布パイプが抜け出るのを防止するように開口寸法を小さくするためのスライダを備え、該スライダは、フック部に設けられた１対のピンに摺動自在にそれぞれ係合する２つの長穴を備え、２つの長穴は、ピンに沿って移動するための線状部分と、フック部の開口寸法が最大になったときにピンに係止するように線状部分の一端に形成された膨出部分とから構成され、２つの長穴の膨出部分は線状部分に対して相互に対向する方向に膨出するように形成される、請求項１または２に記載の仮設足場等盛替え用簡易ステップ。
【請求項４】
前記足場板の中桟は、その中間位置に支持桿の自由端に設けられた接続金具を係脱自在に連結するためのロックピンを備え、該ロックピンはＪ字状のロッドにより形成され、Ｊ字の長辺部が中桟に形成された貫通穴に摺動自在に挿通され、この長辺部の自由端側の端部と中桟との間には、ロックピンのＪ字の短辺部の端部を中桟に設けられた受け穴に挿脱自在に受容して連結するように圧縮バネが設けられる、請求項１〜３のいずれか一項に記載の仮設足場等盛替え用簡易ステップ。
【発明の詳細な説明】
【技術分野】
【０００１】
本発明は、ビルやマンションなどの建設や補修工事等における仮設足場あるいは仮設手摺の盛替え時に作業者がその上に乗って作業するためのステップに関するものである。
【０００２】
本発明の説明において、上方、下方、側方、垂直方向、水平方向等のような方向を示す用語は、基本的に、本発明の仮設足場等盛替え用簡易ステップを仮設足場に取り付けた状態における位置関係で表されることに留意されたい。
【背景技術】
【０００３】
単管パイプを使用した仮設足場、すなわち、単管足場の骨格部分は、基本的に、地面から垂直方向に設置される建地パイプと、建地パイプ間に水平方向へ配置される布パイプと、建地パイプと布パイプを結合するクランプとにより構成される。この建地パイプと布パイプの組み立ては、通常、建地パイプを配置した後、布パイプを建地パイプの上端に結合して建地パイプと布パイプを連結し、さらに、既設の建地パイプの上端に新しい建地パイプを継ぎ足した後に、この建地パイプの上端に別の布パイプを結合することにより組み立てられる。一方、仮設足場を解体するときはこれと逆順で行われる。なお、これについては、同じく単管パイプで構成される仮設盛替えにおいても同様であり、以下、仮設足場を事例に説明する。
【０００４】
仮設足場は工事の進行に伴って、盛替えと称される移し替え作業をしばしば必要としている。この盛替え作業は、建地パイプの上端のクランプを外して布パイプを取り外す作業と、建地パイプの上端にクランプで布パイプを結合する作業とが高所で行われることになる。そのため、作業者は、布パイプに乗って立ち上がり、片足を建地パイプに絡ませて身体を保持した状態でクランプを締付けまたは解放しなければならず、気の抜けない作業を強いられていた。
【０００５】
このような危険を伴う仮設足場での作業を回避するために、仮設足場に取り付けて用いられる種々の作業台が提案されている。しかしながら、それらは仮設足場に固定的に取り付けて用いられるものであり（例えば、特開平８−１３５１７１号公報、特開平１１−７１８９５号公報など）、盛替え作業のように頻繁に作業場所を移動するような場合には対応できないものであった。
【先行技術文献】
【特許文献】
【０００６】
【特許文献１】特開平８−１３５１７１号公報
【特許文献２】特開平１１−７１８９５号公報
【発明の概要】
【発明が解決しようとする課題】
【０００７】
本発明の目的は、頻繁に作業場所を移動して行われる仮設足場の盛替え作業において、安全かつ簡便に作業を進めることができる簡易ステップを提供することにある。
【０００８】
本発明の別の目的は、概して乱雑に扱われる工事現場にあっても壊れ難い分解可能な構造を有する簡易ステップを提供することにある。
【課題を解決するための手段】
【０００９】
本発明による仮設足場等盛替え用簡易ステップは、総体的に方形の板状形体を有する足場板と、足場板を布パイプに係脱自在に係合させるための１対のフック金具と、足場板が水平方向に位置するように建地パイプに係脱自在に係合して足場板を支持するブラケットとから構成される。
【００１０】
足場板は、相互に対向する１対の腕木材と相互に対向する１対の枠材とにより形成された方形の外枠と、１対の枠材間を結合する中桟と、外枠の上部に展張される金網またはエキスパンドメタルなどの板状部材により形成される踏み板とから構成される。各フック金具は、足場板の各腕木材の対応する一端にそれぞれ固着される基部と、布パイプと着脱自在に係合するように基部から外方へ延びるフック部とから構成される。ブラケットは、フック金具の取付位置に対向する側の足場板の腕木材の各端部またはその近傍から、フック金具間に位置する建地パイプに向かって斜め下方へそれぞれ延びる１対の斜材パイプと、建地パイプに係脱自在に係合するように斜材パイプの伸延端部に設けられるパイプ受け座とを有する。
【００１１】
足場板は、その上に乗って作業する作業者からの荷重を確実に支えるために中桟と十字状に交差するように設けられた補強中桟を有する。足場板のフック金具を取付けられた側の枠材には、建地パイプまたは建地パイプと布パイプを連結したパイプクランプを挟持するための１対の滑り止め金具がフック金具と平行に延びるように設けられる。滑り止め金具を備えた枠材に対向する側の枠材には、足場板またはブラケットを取り付けられた足場板を運搬する際に用いられるコの字状の取っ手が設けられる。
【００１２】
フック金具のフック部は、布パイプの上方から係合するように下方に向かって開口された空間を有するＣ字状の形体に形成される。フック金具のフック部には、その中に布パイプを受容するときに開口寸法を大きくする一方、受容した布パイプが抜け出るのを防止するように開口寸法を小さくするためのスライダを備える。スライダは、フック部に設けられた１対のピンに摺動自在にそれぞれ係合する２つの長穴を備えている。２つの長穴は、ピンに沿って移動するための線状部分と、フック部の開口寸法が最大になったときにピンに係止するように線状部分の一端に形成された膨出部分とから構成される。２つの長穴の膨出部分は線状部分に対して相互に対向する方向に膨出するように形成される。
【００１３】
ブラケットの斜材パイプの自由端部には、足場板の腕木材の対応する端部に設けられた係合穴にそれぞれ着脱自在および回動自在に係合するためのＬ字状の係合ロッドが設けられる。２つの係合ロッドはブラケットを一方向に移動させることにより同時に係合穴に挿入できるようにその自由端部が同一方向に指向される。ブラケットの２つの斜材パイプは連結桿によってその中間部位を相互に連結される。連結桿の中間部位には支持桿の一端が枢動自在に設けられ、支持桿の自由端には足場板と連結するための接続金具が設けられる。斜材パイプは、ブラケット全体の剛性を高めるため、足場板に連結される側の端部間を結合する補強材を備える。
【００１４】
足場板の中桟は、その中間位置に、支持桿の自由端に設けられた接続金具を係脱自在に連結するためのロックピンを備える。ロックピンはＪ字状のロッドにより形成され、Ｊ字の長辺部が中桟に形成された貫通穴に摺動自在に挿通され、この長辺部の自由端側の端部と中桟との間には、ロックピンのＪ字の短辺部の端部を中桟に設けられた受け穴に挿脱自在に受容して連結するように圧縮バネが設けられる。
【発明の効果】
【００１５】
上述の如く構成される本発明の簡易ステップは、通常、不使用時には、足場板とブラケットに分解し、支持桿を枢動してブラケットを総体的に平坦な状態で保管することにより、より小さな保管空間で対応でき、保管場所の有効利用を遂行できる。
【００１６】
本発明の簡易ステップを使用するとき、まず、ブラケットの斜材パイプに設けられた係合ロッドを足場板の腕木材の対応する係合穴にそれぞれ係合する。このとき、Ｌ字状の係合ロッドの自由端部が同一方向に指向されていることにより、一動作で係合ロッドを係合穴に挿入することができる。次いで、ブラケットの支持桿を適当に回動すると共に、ロックピンを圧縮バネに抗して摺動して、ロックピンのＪ字の短辺部の端部を支持桿の接続金具に係合させることにより、工具を用いることなしに足場板とブラケットの間の結合を遂行できる。
【００１７】
仮設足場等の作業場所に本発明の簡易ステップを取り付けるには、フック金具のフック部の開口寸法が大きくなる方向へフック部に設けられたスライダを摺動させ、長穴の膨出部分にピンを係止させる。これにより、フック金具のフック部は最大の開口寸法に保持されるため、布パイプへの装着を簡便に行うことができる。１対のフック金具は、建地パイプの両側において、上方側から布パイプに嵌合され、次いで、布パイプを中心として足場板を回動させて、１対の滑り止め金具間に建地パイプまたはパイプクランプを挟持させることにより、布パイプ上における位置決めを行うと共に、布パイプ上で位置ズレするのを防止できる。滑り止め金具間の空間とブラケットのパイプ受け座とは同一垂直線上となるように形成される。これにより、１対の滑り止め金具が建地パイプまたはパイプクランプを挟持することにより、パイプ受け座も同一の建地パイプに接合するため、取付作業を簡単かつ確実に遂行できる。布パイプおよび建地パイプへの係合が終了すると、作業者は、フック金具のフック部の開口寸法が小さくなる方向へフック部に設けられたスライダを摺動させることにより、フック金具が布パイプから抜け落ちるのを確実に防止できる。
【００１８】
簡易ステップの取外しは、上述と逆の順序で作業することにより簡単に遂行でき、足場板とブラケットとを連結した状態で別の作業位置に取り付けるか、または、足場板とブラケットとを分解して収納することができる。
【図面の簡単な説明】
【００１９】
【図１】図１は、本発明の実施例による簡易ステップを示す平面図である。
【図２】図２は、図１に示す簡易ステップの側面図である。
【図３】図３は、図１に示す簡易ステップの足場板の平面図である。
【図４】図４は、図３に示す足場板の側面図である。
【図５】図５は、図４と直交する側から見た足場板の側面図である。
【図６】図６は、図１に示す簡易ステップのブラケットの側面図である。
【図７】図７は、図６に示すブラケットの平面図である。
【図８】図８は、図６と直交する側から見たブラケットの側面図である。
【発明を実施するための形態】
【００２０】
本発明の実施例による仮設足場等の盛替えに用いられる簡易ステップは、図１および２に示されるように、総体的に方形の板状形体を有する足場板１と、足場板１を布パイプＰｈに係脱自在に係合させるための１対のフック金具２と、足場板１を実質的に水平方向へ位置させるように、建地パイプＰｖに係脱自在に係合して足場板１を支持するためのブラケット３とから構成される。
【００２１】
足場板１は、図３〜５により詳細に示されるように、相互に対向する１対の腕木材１０と、腕木材１０と直交する方向で相互に対向する１対の枠材１１とにより形成された方形の外枠と、１対の枠材１１間を結合する中桟１２と、外枠の上部に展張される金網またはエキスパンドメタルなどの板状部材により形成される踏み板１３とから構成される。好ましくは、足場板１の上に乗って作業する作業者からの荷重を確実に支えるために、補強中桟１４が中桟１２と十字状に交差して設けられる。フック金具２を取付けられた側の枠材１１には、建地パイプＰｖまたは建地パイプＰｖと布パイプＰｈを連結したパイプクランプＣを挟持するための１対の滑り止め金具１５がフック金具２の伸延方向と平行に延びるように設けられる。滑り止め金具１５を備えた枠材１１に対向する側の枠材１１には、足場板１またはブラケット３を結合された足場板１を運搬する際に用いるためのコの字状の取っ手１６が設けられる。
【００２２】
各フック金具２は、足場板１の各腕木材１０の対応する一端にそれぞれ固着される基部２０と、布パイプＰｈと着脱自在に係合するように基部２０から外方へ延びるＣ字状の形体のフック部２１とから構成される。Ｃ字状のフック部２１は、布パイプＰｈの上方から係合するように下方に向かって開口された空間２２を有する。フック部２１には、空間２２の中に布パイプＰｈを受容するときに空間２２の開口寸法を大きくする一方、受容した布パイプＰｈが空間２２から抜け出るのを防止するために開口寸法を小さくするためのスライダ２３を備える。各スライダ２３は、フック部２１に設けられた１対のピン２４に摺動自在にそれぞれ係合する２つの長穴２５を備えている。２つの長穴２５は、ピン２４に案内されて移動する線状部分２５ａと、フック部２１の開口寸法が最大になったときにピン２４に係止するように線状部分２５ａの一端に形成された膨出部分２５ｂとを有する。２つの長穴２５の膨出部分２５ｂは線状部分２５ａに対して相互に対向する方向、図示の場合、上方に位置する長穴２５の膨出部分２５ｂが基部２０の側へそして下方に位置する長穴２５の膨出部分２５ｂがフック部２１の伸延側へ、それぞれに膨出するように形成される。
【００２３】
ブラケット３は、図６〜８により詳細に示されるように、フック金具２の取付位置に対向する側の足場板１の腕木材１０の各端部またはその近傍から、フック金具２間に位置される建地パイプＰｖに向かって斜め下方へそれぞれ延びる１対の斜材パイプ３０と、斜材パイプ３０の伸延端部に設けられる、建地パイプＰｖに係脱自在に係合するためのパイプ受け座３１とを有する。斜材パイプ３０の自由端部には、足場板１の各腕木材１０の端部に設けられた対応する係合穴にそれぞれ着脱自在および回動自在に係合するためのＬ字状の係合ロッド３２が設けられる。２つの係合ロッド３２は、ブラケット３を一方向（図１の位置関係において、上方）に移動させることにより同時に係合穴に挿入できるように、その自由端部が同一方向（図１の位置関係において、上方）に指向されている。１対の斜材パイプ３０は連結桿３３によってその中間部位を相互に連結される。連結桿３３の中間部位には支持桿３４の一端が枢動自在に設けられ、支持桿３４の自由端部には足場板１と連結するための接続金具３５が設けられる。斜材パイプ３０は、ブラケット全体の剛性を高めるために、足場板１に連結される側の端部間を結合する補強材３６を備えるのが好ましい。
【００２４】
足場板の中桟１２には、その中間位置に、支持桿３４の自由端に設けられた接続金具３５と係脱自在に連結するためのロックピン１７が設けられる。ロックピン１７はＪ字状のロッドにより形成され、Ｊ字の長辺部が中桟１２に形成された貫通穴に摺動自在に挿通され、ロックピン１７の長辺部の自由端側の端部と中桟１２との間には、ロックピンのＪ字の短辺部の端部を中桟１２に設けられた受け穴に挿脱自在に受容されて連結するように圧縮バネ１８が設けられる。
【００２５】
次に、本発明の簡易ステップの典型的な使い方について説明する。本発明の簡易ステップは、不使用時には、足場板１にブラケット３を取り付けた状態のまま折り畳んで保管することもできるが、好ましくは、ブラケット３を足場板１から取り外し、支持桿３４を斜材パイプ３０に沿うように枢動させた状態で、足場板１とブラケット３とを個別に保管される。
【００２６】
使用するには、まず、ブラケット３を足場板１に対して一方向へ移動することにより、ブラケット３の斜材パイプ３０の各端部に設けられた係合ロッド３２の自由端部を足場板１の各腕木材１０に設けられた係合穴にそれぞれ挿入して連結する。次いで、ブラケット３の支持桿３４を回動すると共に、足場板１のロックピン１７を圧縮バネ１８に抗して摺動して、Ｊ字状のロックピン１７の短辺部の端部を支持桿３４の接続金具３５に係合させることにより、簡易ステップの組み立てが完了する。
【００２７】
仮設足場等の単管パイプに取り付ける前に、フック金具２のフック部２１が最大の開口寸法に保持されるように、フック部２のスライダ２３を上方に摺動させてスライダ２３の長穴２５の膨出部分２５ｂにピン２５を受容させる。この状態を保持したままで簡易ステップを持ち上げ、１対のフック金具２が作業位置の建地パイプＰｖの両側でそれぞれ布パイプＰｈに嵌合するように、布パイプＰｈの上方側からフック金具２のフック部２１を係合させる。次いで、布パイプＰｈを中心として足場板１を回動させ、１対の滑り止め金具１５間に建地パイプＰｖまたはパイプクランプＣを挟持させると共に、滑り止め金具１５間の空間に挟持された建地パイプＰｖにブラケット３のパイプ受け座３１を接合させて係止することにより、簡易ステップの取付けが遂行される。簡易ステップの取付作業が終わると、フック金具２のフック部２１から布パイプＰｈが抜け出るのを防止するために、フック部２のスライダ２３を下方に摺動して、スライダ２３の長穴２５の直線部分２５ａにピン２５を移動させ、フック金具２のフック部２１の開口寸法を最小に保持する。
【００２８】
簡易ステップの取外しは、上述した手順と実質的に逆の順序で作業することにより遂行され、取り外された簡易ステップは、足場板とブラケットとを連結した状態で別の作業位置に上述と同様にして取り付けられる。
【００２９】
上述の説明において、仮設足場等のパイプは、布パイプＰｈと建地パイプＰｖが相互に交差する単管足場を例に取り説明したが、両パイプが同一垂直面上に位置する枠組足場等に対しても、フック金具の外方伸延長さを変更することにより同様に対応できることは当業者に取って容易に理解されよう。
【符号の説明】
【００３０】
１    足場板
１０    腕木材
１１    枠材
１２    中桟
１３    踏み板
１４    補強中桟
１５    滑り止め金具
１６    取っ手
１７    ロックピン
１８    圧縮バネ
２    フック金具
２０    基部
２１    フック部
２２    空間
２３    スライダ
２４    ピン
２５    長穴
２５ａ    線状部分
２５ｂ    膨出部分
３    ブラケット
３０    斜材パイプ
３１    パイプ受け座
３２    係合ロッド
３３    連結桿
３４    支持桿
３５    接続金具
３６    補強材
Ｃ    パイプクランプ
Ｐｈ    布パイプ
Ｐｖ    建地パイプ
【図１】
0006546411.tif 000002
【図２】
0006546411.tif 000003
【図３】
0006546411.tif 000004
【図４】
0006546411.tif 000005
【図５】
0006546411.tif 000006
【図６】
0006546411.tif 000007
【図７】
0006546411.tif 000008
【図８】
0006546411.tif 000009